(57)【要約】【課題】  急いで印字プリントを得たい作業者の印字ジョブが、前のジョブの原因で、機械が停止しており、それをリカバリしたにもかかわらず、止めていたジョブが優先されて時間をとられてしまう。【解決手段】  ジャムや紙無しで停止しているのをリカバリした作業者の印字ジョブを作業者のＩＤ情報と対応させて、止まっていたジョブよりも優先的に印字を行なわせる。【選択図】  図３
2007069534.tif 000002
【特許請求の範囲】
【請求項１】
ネットワーク上の印字要求を行うユーザーよりの要求でネットワークに接続された画像形成装置に、ネットワークプリントを行う画像形成装置において、ユーザーが身に付けているユーザーの情報が記憶されているRFIDを読み取るRFID読み取り手段を有しており、ネットワークプリントでユーザーよりの印字要求において、ユーザーの情報を付加したジョブに、ネットワーク上の各ユーザーのジョブを識別できる識別手段を有し、
プリント中に紙無し、トナー切れ、紙ジャムなどのトラブルで印字が停止した後、トラブルより装置を復帰させた時に、すぐにプリント動作を行なわずに、画像形成装置の前に立っているユーザーが身につけているRFIDの情報を、画像形成装置が有するRFID読み取り手段が読み取り、そのユーザー情報と同一の情報を持つプリントジョブを識別し、プリントジョブの順序が後になっていたジョブを優先的に出力できることを可能としたトラブル復帰後に優先プリントを行うことができるモードを持つことを特徴とする画像形成装置。
【発明の詳細な説明】
【技術分野】
【０００１】
ユーザーがプリントJOBをネットワークに接続されているＰＣから要求し、ネットワークに接続されている画像形成装置で印刷を行うための制御を行う画像形成システム、画像形成装置に関する。
【背景技術】
【０００２】
ネットワークに複数のコンピューター、複数のプリンタ装置が接続され、各コンピューターどうしで、データの共有化をはかり、プリンタ装置の共有化がはかられるネットワークプリンティングシステムが一般的になっている。
【０００３】
ユーザーはコンピュータから所望のプリンターを選択し、LAN等のインターフェースよりジョブを選択したプリンターに実行させる。
【０００４】
従来例としては、例えば特許文献１をあげることが出来る。
【特許文献１】特開平１０−１２６５３８号公報
【発明の開示】
【発明が解決しようとする課題】
【０００５】
多数のコンピューターがネットワークに接続されて、複数の多量の印字プリントが行なわれることにより、ネットワークプリントのトラブルが多くなる。紙が無くなったり、トナーが切れる、紙ジャムを発生させてしまう、などネットワークに接続するコンピュータが多くなるにつれて、発生率が高くなるトラブルである。
【０００６】
ある画像形成装置に複数の多量の印字を要求したプリントジョブが集中し、あるジョブが紙無し、紙ジャムなどの原因で印字を止めてしまい、しかもそのジョブを要求した操作者がその場を離れており、トラブルに気がつかない状態のままで、印字装置をそのまま放置してしまう操作者がかさなる場合がある。印字ジョブの出力を急がない操作者が特に装置の状態に気がつかないことが多く、そのように印字装置の復帰を行なわない状態になってしまうことが、特に多くのコンピューターより印字を行なわれているシステムの場合は多くなってしまう。
【０００７】
ここで一枚の内容なのだがすぐに出力したものが必要な操作者が、１枚の出力ジョブをコンピューターより要求して、出力物を得ようとして装置に行った時に、例えば紙無しで印字が止まってしまっており、その操作者が紙を給紙して、印字を再開させたところ、残っていた多量の印字プリントが再開し、その印字ジョブのために一枚の急ぐ出力を得ようとした操作者が装置の復帰をしたにもかかわらず、出力を急がずに装置の復帰を怠った操作者のために出力を後回しにされてしまい、すぐに印字物を必要な操作者が、それを入手できないということはネットワークプリントシステムの効率を悪くしてしまうことになる。
【０００８】
同様にネットワークプリントができ、かつ多様で、高速、多量なコピー操作が行うことができるマルチファンクションプリンター（ＭＦＰ）において、多量の原稿を多量にコピーしようとした操作者が装置を離れてしまい、紙無しが原因で印字を止めたままの状態で放置された状態で、他の一枚の出力を急いで必要な操作者がプリントジョブを要求した後に、装置に行ったときに紙無し状態を復帰させたら、止まっていたコピー動作が再開されてしまいすぐに必要な操作者のジョブが後回しにされてしまい、やはりプリントシステムの効率が悪くなってしまう。
【課題を解決するための手段】
【０００９】
本発明はこれらの点に鑑み、ネットワークプリンタがトラブルで印字を停止してしまった時、復帰をした後に、印字出力を急いで入手しようとして、画像形成装置にきたユーザーがトラブルから復帰させた後に、ネットワークプリントのジョブにユーザー情報を付加しておき、その情報とユーザーが身につけているRFIDよりなる身分証明書などの情報を画像形成装置が読み取り、画像形成装置が装置の前にいるユーザーの情報よりプリントジョブを選択し、例えば一枚の急の出力物を必要とする、ジョブを要求した順番では一番最後になるジョブでも出力させることが可能になる“復帰後優先プリント”モードを設定することにより出力を急いでいない多量出力のジョブよりも先に出力させることができる。
【発明の効果】
【００１０】
以上説明したように本発明によれば、ネットワークに接続されたプリンターが何らかの原因で印字を停止した時に、印字可能に復帰させた操作者が、自分の情報を付加したプリントジョブを画像形成装置へ送付し、画像形成装置が印字を復帰したユーザーの身につけているRFIDを読み取り、ユーザーを認識して、ユーザー情報が付与されているプリントジョブを認識し、優先して再開させることが可能な“復帰後優先プリント”モードを設けることにより、少量でも急いで出力を必要とする操作者が停止していた装置を復帰させた後に、先に印字ジョブを要求していても印字が停止していてもあまり急いで出力を要せずに復帰操作を行なわなかった操作者よりも先に自分の出力プリントを得ることができ、ネットワークプリントシステムの効率をあげることができる。
【発明を実施するための最良の形態】
【００１１】
図１にネットワークに複数のネットワークプリンタが接続されている例を示す。
【００１２】
101,102,103,104,105はジョブを要求するユーザーのパソコンであり、各プリンターとネットワークで接続される。
【００１３】
110はコピー、ネットワークプリンタなどの機能を持つＭＦＰまたはSFPなどの画像形成装置である。
【００１４】
110は各々のパソコンよりのプリントジョブをプリントするし、操作者が110のところでコピーを行なうこともでき、図中で示さないが左部のフィニシャーにより複数部の印字出力を整理して出力することができる。
【００１５】
図２に本発明の“復帰後優先プリントモード”を装置の設定画面で、設定している例を示す。
【００１６】
プリントモード：ＯＮ、ＯＦＦで優先プリントをする、しないを設定できる。
【００１７】
図３にユーザーAがパソコンから１１０へジョブを要求する、“優先復帰後プリント”モードについての流れの概要を示す。
【００１８】
1.ユーザーAがパソコンからジョブをネットワークを介して装置110へプリントジョブを要求する。
【００１９】
このとき図示はしないがプリントジョブにはユーザーAの識別を行うデータが付与されている。（図３−（１））
２．ユーザーAのジョブは装置１１０にとって３番目のジョブになっている。（図３−（２））
３.ネットワークプリント、またはコピーが何らかの原因で印字が停止している。
【００２０】
図３においては印字中のユーザーBのジョブが原因で止まっている。
【００２１】
プリントジョブを要求したユーザーAが自分のジョブ出力を取ろうとして、装置に行くと印字が停止しているのに遭遇する。このとき装置の表示部には図示しないが、印字停止の原因を表示しており、復帰させることを表示している。（図３−（３））
４.ユーザーAが装置の印字停止の原因を解決し、装置が印字を開始できるように復帰させる。（図３−（４））
５."復帰後優先プリントモード“に設定されていなかったら、止まっていたユーザーBのジョブが続いて印字される。
【００２２】
６."復帰後優先プリントモード“が設定されていたときは、画像形成装置のRFID読み取り装置がユーザーAの身に付けている身分証明カードなどのRFIDを読み取り、ユーザーAを認識し、画像形成装置に残っているユーザーAのプリントジョブを識別し、前記３番目に印字が予定されていたユーザーAのジョブが優先プリントモードにより、１番目の印字になり、急いで印字物を欲していて装置に取りにきて印字が止まっていたのをリカバリーしたユーザーAが自分のジョブをすぐに取得することができる。（図３−（５））
７.このとき印字が止まっていたのをリカバリしたのがユーザーBであったならもちろん印字はユーザーBの印字からになる。また、印字が止まっていたのをリカバリしたのが、RFIDの身分証明書をつけていなかったり、つけていてもプリントジョブを要求していない人物だったときには、装置が"復帰後優先プリントモード“に設定されていても残っているジョブの順番どおりに印字が再開される。
【図面の簡単な説明】
【００２３】
【図１】ネットワークプリンタのブロック図。
【図２】本発明のモード設定表示例。
【図３】本発明の実施例を示す復帰後優先プリントジョブの流れ画面。
【図１】
2007069534.tif 000003
【図２】
2007069534.tif 000004
【図３】
2007069534.tif 000005